(57)【要約】【課題】レンズ鏡筒の性能に影響を与えない小型の光学アクセサリを提供する。【解決手段】光学アクセサリ１００は、レンズ鏡筒５に取り付け可能な移動環保持手段２と、光学部材３を保持するように構成され、被駆動手段１ａを有する光学保持手段１と、光学保持手段１を移動環保持手段２に向けて付勢させるバネ部材６とを有し、光学保持手段１は、レンズ鏡筒５の駆動環４の回転に連動して被駆動手段１ａが駆動環４に形成されたフェイスカム４ａの上を移動することにより、レンズ鏡筒５の進退動作に応じて光軸方向に移動する。【選択図】図１
2014048465.tif 000002
【特許請求の範囲】
【請求項１】
レンズ鏡筒に取り付け可能なベース部材と、
光学部材を保持するように構成され、突起部を有する保持部材と、
前記保持部材を前記ベース部材に向けて付勢させる付勢手段と、を有し、
前記保持部材は、前記レンズ鏡筒の駆動環の回転に連動して前記突起部が該駆動環に形成されたカム部の上を移動することにより、前記レンズ鏡筒の進退動作に応じて光軸方向に移動する、ことを特徴とする光学アクセサリ。
【請求項２】
前記保持部材は、前記レンズ鏡筒の前記駆動環の回転に連動して前記突起部と該駆動環に形成されたテーパ形状の前記カム部との当接位置が変化することにより、前記レンズ鏡筒の進退動作に応じて前記光軸方向に移動することを特徴とする請求項１に記載の光学アクセサリ。
【請求項３】
前記保持部材は、前記レンズ鏡筒が広角側から望遠側へ移動するにつれて前記光軸方向に繰り出すことを特徴とする請求項１または２に記載の光学アクセサリ。
【請求項４】
前記保持部材は、前記ベース部材に設けられている直進規制手段によって前記光軸方向に直進規制されていることを特徴とする請求項１乃至３のいずれか１項に記載の光学アクセサリ。
【請求項５】
前記保持部材の突起部は、前記レンズ鏡筒が収納状態または広角状態において、前記駆動環に当接しないように構成されていることを特徴とする請求項１乃至４のいずれか１項に記載の光学アクセサリ。
【請求項６】
レンズユニットと、
回転することにより前記レンズユニットを光軸方向に移動させる駆動環と、
前記駆動環に形成されたテーパ形状のカム部と、を有し、
前記カム部は、前記駆動環の回転に連動して光学アクセサリの突起部と該カム部との当接位置が変化することにより、レンズ鏡筒の進退動作に応じて該光学アクセサリを前記光軸方向に移動するように構成されている、ことを特徴とするレンズ鏡筒。
【請求項７】
レンズユニットと、
回転することにより前記レンズユニットを光軸方向に移動させる駆動環と、
前記駆動環に形成されたテーパ形状のカム部と、
前記駆動環に取り付け可能なベース部材と、
光学部材を保持するように構成され、前記カム部に当接するように構成された突起部を有する保持部材と、
前記保持部材を前記ベース部材に向けて付勢させる付勢手段と、を有し、
前記保持部材は、前記駆動環の回転に連動して前記突起部と前記カム部との当接位置が変化することにより、レンズ鏡筒の進退動作に応じて前記光軸方向に移動する、ことを特徴とする光学装置。
【発明の詳細な説明】
【技術分野】
【０００１】
本発明は、デジタルカメラなどの光学装置に取り付けられる光学アクセサリに関する。
【背景技術】
【０００２】
近年、光学装置（レンズ鏡筒）に対して種々の光学フィルタやマクロレンズなどの付属品を取り付けることにより、変化に富んだ撮影が可能な光学装置がある。このようなレンズ鏡筒は、ズーム倍率の変化に応じて、本体部（撮像装置本体）からの突出量が変化する。このため、光学フィルタやマクロレンズなどの付属品をレンズ鏡筒に取り付けるには、この突出量を考慮して、大きな光学アクセサリが必要となり、ユーザにとって扱いにくい。
【０００３】
特許文献１には、光軸方向に進退可能なレンズ鏡筒と、カメラ本体の前面に取り付けられたマウントとを備えた防水カメラが開示されている。特許文献１の防水カメラでは、防水アダプタを介してレンズ鏡筒に干渉しない位置にワイドコンバータが設けられている。特許文献２には、レンズ鏡筒に外挿され、光学フィルタをレンズ鏡筒の前面に取り付けるためのフィルタアダプタが開示されている。このフィルタアダプタは、移動筒の一部をレンズ鏡筒の前面に付き当てて付勢部材の付勢力に抗してレンズ鏡筒の前面を押圧することで、レンズ鏡筒に連動して光学フィルタを移動させる。
【先行技術文献】
【特許文献】
【０００４】
【特許文献１】特開２０１０−７２２２５号公報
【特許文献２】特開２０１２−３７７１８号公報
【発明の概要】
【発明が解決しようとする課題】
【０００５】
しかしながら、特許文献１に開示された構成では、レンズ鏡筒が大きく繰り出していない状態でも大きい防水アダプタが配置されているため、防水カメラが大型化してユーザは扱いにくい。また、特許文献２に開示された構成では、ズーム動作中にレンズ鏡筒に外力が作用し、フィルタアダプタを取り付けた場合と取り付けていない場合とでレンズ鏡筒に対する負荷力が変化し、撮影性能に影響を与える可能性がある。
【０００６】
そこで本発明は、レンズ鏡筒の性能に影響を与えない小型の光学アクセサリ、レンズ鏡筒、および、光学装置を提供する。
【課題を解決するための手段】
【０００７】
本発明の一側面としての光学アクセサリは、レンズ鏡筒に取り付け可能なベース部材と、光学部材を保持するように構成され、突起部を有する保持部材と、前記保持部材を前記ベース部材に向けて付勢させる付勢手段とを有し、前記保持部材は、前記レンズ鏡筒の駆動環の回転に連動して前記突起部が該駆動環に形成されたカム部の上を移動することにより、前記レンズ鏡筒の進退動作に応じて光軸方向に移動する。
【０００８】
本発明の他の側面としてのレンズ鏡筒は、レンズユニットと、回転することにより前記レンズユニットを光軸方向に移動させる駆動環と、前記駆動環に形成されたテーパ形状のカム部とを有し、前記カム部は、前記駆動環の回転に連動して光学アクセサリの突起部と該カム部との当接位置が変化することにより、レンズ鏡筒の進退動作に応じて該光学アクセサリを前記光軸方向に移動するように構成されている。
【０００９】
本発明の他の側面としての光学装置は、レンズユニットと、回転することにより前記レンズユニットを光軸方向に移動させる駆動環と、前記駆動環に形成されたテーパ形状のカム部と、前記駆動環に取り付け可能なベース部材と、光学部材を保持するように構成され、前記カム部に当接するように構成された突起部を有する保持部材と、前記保持部材を前記ベース部材に向けて付勢させる付勢手段とを有し、前記保持部材は、前記駆動環の回転に連動して前記突起部と前記カム部との当接位置が変化することにより、レンズ鏡筒の進退動作に応じて前記光軸方向に移動する。
【００１０】
本発明の他の目的及び特徴は、以下の実施例において説明される。
【発明の効果】
【００１１】
本発明によれば、レンズ鏡筒の性能に影響を与えない小型の光学アクセサリ、レンズ鏡筒、および、光学装置を提供することができる。
【図面の簡単な説明】
【００１２】
【図１】本実施例における光学アクセサリの斜視図である。
【図２ａ】本実施例において、レンズ鏡筒が収納状態である場合（非使用時）の光学アクセサリの側面図である。
【図２ｂ】本実施例において、レンズ鏡筒が望遠状態である場合（使用時）の光学アクセサリの側面図である。
【図３ａ】本実施例における撮像装置の正面斜視図である。
【図３ｂ】本実施例における撮像装置の背面図である。
【図４】本実施例における撮像装置の要部を示すブロック図である。
【発明を実施するための形態】
【００１３】
以下、本発明の実施例について、図面を参照しながら詳細に説明する。各図において、同一の部材については同一の参照番号を付し、重複する説明は省略する。
【００１４】
まず、図３ａ、図３ｂ、および、図４を参照して、本発明の実施例における撮像装置（デジタルカメラ）の構成について説明する。図３ａは、本実施例におけるデジタルカメラ１３の正面斜視図である。図３ｂは、デジタルカメラ１３の背面図である。図４は、デジタルカメラ１３の要部を示すブロック図である。本実施例のデジタルカメラ１３は、撮影倍率を変更可能なズーム機構を有するカメラである。
【００１５】
本実施例では、撮像素子を含む撮像装置本体とレンズ鏡筒とが一体的に構成された撮像装置について説明するが、これに限定されるものではない。本実施例は、レンズ鏡筒が撮像装置本体に着脱可能に構成された交換レンズ、および、撮像装置本体に交換レンズが装着された撮像システムにも適用可能である。
【００１６】
デジタルカメラ１３の正面には、被写体の構図を決定するファインダ対物レンズ１１、測光動作や測距動作を行う際の光源の補助を行う補助光手段１０、ストロボ１２、および、レンズ鏡筒５（レンズ装置）が設けられている。また、デジタルカメラ１３の上面には、レリーズボタン７、ズーム切換えスイッチ８、および、電源切換えボタン９が設けられている。デジタルカメラ１３の背面には、種々の機能切換えを行う操作ボタン１６、１７、１８、１９、２０、２１が設けられている。また、ＬＣＤからなるディスプレイ１５、および、ファインダ接眼部１４が設けられている。ディスプレイ１５は画像表示手段であり、メモリ３３に保存された画像データやメモリーカードから読み込まれた画像データを画面上に表示する。
【００１７】
ＣＰＵ３９、ＲＯＭ３８、および、ＲＡＭ４０により、制御部（制御系）が構成される。制御部は、バス３７を介して、レリーズボタン７、操作ボタン１６〜２１、ディスプレイ１５、メモリ３３、および、メモリーカードドライブ３５などの各種の構成要素に接続されている。また制御部は、バス３７を介して、駆動回路３６に接続されている。駆動回路３６は、ズーム機構２２、フォーカス駆動機構２３、シャッタ駆動機構２６、絞り駆動機構２８、ＣＣＤやＣＭＯＳなどの撮像素子３０、および、ストロボ１２に接続されている。これらの駆動手段は、駆動回路３６を介して、制御部からの指令信号により各々の駆動を行う。ズーム機構２２は、モータ２２ａを用いてレンズ鏡筒５を駆動する。フォーカス駆動機構２３は、モータ２３ａを用いてフォーカスレンズ２４を駆動する。シャッタ駆動機構２６はシャッタ２５を駆動する。絞り駆動機構２８は絞り２７を駆動する。
【００１８】
ＲＯＭ３８には、上述のような各種の構成要素を制御するプログラム（制御プログラム）が記憶されている。またＲＡＭ４０には、各種の制御プログラムに必要なデータが記憶されている。
【００１９】
アナログ信号処理部２９は、撮像素子３０から得られた画像データに対して所定のアナログ処理を行い、その結果をＡ／Ｄ変換部３１に出力する。Ａ／Ｄ変換部３１は、アナログ信号処理部２９から得られたアナログデータをデジタルデータに変換する。Ａ／Ｄ変換部３１は、このデジタルデータをデジタル信号処理部３２に出力する。デジタル信号処理部３２は、デジタルデータに対する所定の信号処理を行う。デジタル信号処理部３２で信号処理が行われた後、デジタルデータはメモリ３３に記憶される。
【００２０】
圧縮伸張部３４は、メモリ３３に記憶された画像データやメモリーカードドライブ３５に記憶されている画像データの伸張処理を行う。圧縮伸張部３４により伸張処理が行われた画像データは、バス３７を介して、ディスプレイ１５に表示される。使用者は、ディスプレイ１５に表示された画像データを見て、その画像データが不要であると判断すると、操作ボタン２１を操作してその画像データを消去することができる。
【００２１】
次に、図１を参照して、デジタルカメラ１３（レンズ鏡筒）に取り付け可能な光学アクセサリ（光学アダプタ）について説明する。図１は、本実施例における光学アクセサリ１００の斜視図であり、光学アクセサリ１００がデジタルカメラ１３（レンズ鏡筒）に取り付けられた状態を示している。なお本実施例において、光学アクセサリ１００が取り付けられたデジタルカメラ１３（レンズ鏡筒５）を、光学装置を呼ぶ。
【００２２】
本実施例の光学アクセサリ１００は、光学フィルタなどの光学部材を保持するように構成されたフィルタアダプタなどの光学アダプタであり、外部アクセサリとしてデジタルカメラ１３（レンズ鏡筒５）に取り付けられる。偏光フィルタやプロテクトフィルタなどの各種フィルタを光学アクセサリ１００に取り付けることにより、ユーザは、様々な撮影を楽しむことができる。
【００２３】
コンパクトカメラ（デジタルカメラ１３）では、ズーム倍率の変化に応じてレンズ鏡筒５の前面（物体側の面）が光軸ＯＡの方向（光軸方向）に移動する。光学アクセサリ（フィルタアダプタ）をレンズ鏡筒５に干渉しない位置に固定すると、望遠側については問題ないが、広角側の画角をケラレないようにするには、光学アクセサリの直径や長さを大きくする必要がある。光学アクセサリの直径や長さが大きくなると、カメラとしての使用感が低下し、ユーザにとっての魅力が低減する。そこで本実施例では、フィルタやプロテクタを保持する光学アクセサリを、レンズ鏡筒５の前面の移動とともに光軸方向に移動させる。
【００２４】
光学アクセサリ１００は、主に、光学保持手段１（保持部材）、移動環保持手段２（ベース部材）、および、バネ部材６（付勢手段）を備えて構成される。移動環保持手段２は、レンズ鏡筒５に取り付け可能に構成されている。移動環保持手段２は、レンズ鏡筒５に取り付けられることにより、レンズ鏡筒５の進退動作に関わらず、レンズ鏡筒５に対して固定された状態を維持する。
【００２５】
移動環保持手段２の外周には、光学保持手段１が設けられている。光学保持手段１は、移動環保持手段２に設けられている直進規制手段２ａにより直進規制（直進保持）されている。光学保持手段１の前面（物体側）には、偏光フィルタやプロテクトフィルタなどのフィルタ（光学部材３）を取り付けるためのネジ（不図示）などの固定手段が設けられている。また、光学保持手段１の背面（像側）には、周方向の複数箇所において、突起状の被駆動手段１ａ（突起部）が設けられている。本実施例において、被駆動手段１ａは三箇所に設けられているが、これに限定されるものではない。このように光学保持手段１は、光学部材３を保持するように構成され、被駆動手段１ａを有する。
【００２６】
光学保持手段１と移動環保持手段２との間には、周方向の三箇所において、バネ部材６（付勢手段）が設けられている。このため、光学保持手段１と移動環保持手段２とは、互いに引き合う関係になっている。すなわちバネ部材６は、光学保持手段１を移動環保持手段２に向けて付勢させる。このような構成により、光学保持手段１は、背面方向（像側）に所定の荷重がかけられている。なお、バネ部材６の個数は三つに限定されるものではなく、適宜変更可能である。
【００２７】
レンズ鏡筒５には、その内部に設けられたレンズユニットなどの光学手段を光軸方向に移動させる駆動環４が設けられている。駆動環４の前方（物体側）には、光軸方向に対してテーパ形状を有するフェイスカム４ａ（カム部材）が設けられている。駆動環４の回転により、レンズ鏡筒５は、広角状態、望遠状態（まとめて、「撮影状態」という）、および、収納状態へ遷移する。このとき、フェイスカム４ａも回転して位置を変更する。光学アクセサリ１００をデジタルカメラ１３（レンズ鏡筒５）に取り付けると、被駆動手段１ａは、レンズ鏡筒５の内部に差し込まれ、フェイスカム４ａに当接可能に保持される。
【００２８】
続いて、図２ａおよび図２ｂを参照して、レンズ鏡筒５の位置（収納状態、広角状態、望遠状態）に応じた光学アクセサリ１００の構造の変化について説明する。図２ａは、レンズ鏡筒５が収納状態である場合（非使用時）の光学アクセサリ１００の側面図である。図２ｂは、レンズ鏡筒５が望遠状態である場合（使用時）の光学アクセサリ１００の側面図である。なお、レンズ鏡筒５が広角状態である場合は図２ａと同様である。
【００２９】
図２ａ中の右上の拡大図に示されるように、レンズ鏡筒５が収納状態または広角状態である場合、被駆動手段１ａはフェイスカム４ａに当接していない。レンズ鏡筒５がズーム動作を行って広角状態から望遠状態へ遷移する途中で、被駆動手段１ａはフェイスカム４ａに当接するようになる。このような構成により、デジタルカメラ１３（レンズ鏡筒５）が多くの時間放置される収納状態では、光学アクセサリ１００の荷重がレンズ鏡筒５に影響を与えることを防止することができる。また本実施例によれば、光学フィルタなどの光学部材３が取り付けられた光学アクセサリ１００を、レンズ鏡筒５の進退動作に応じて移動させる。このため、レンズ鏡筒５が広角状態である場合にケラレないように、レンズ鏡筒５に光学部材３を近接させることができる。
【００３０】
一方、図２ｂに示されるようにレンズ鏡筒５が望遠状態である場合、光学アクセサリ１００は、レンズ鏡筒５の前面（物体側）と光学部材３とが互いに干渉しないように（接触しないように）レンズ鏡筒５の進退動作に応じて光軸方向に移動する。また駆動環４は、ズーム機構２２から力の伝達経路上、ズーム機構２２から近い位置にあり、メカガタが少ない。このため、駆動環４の前方（物体側）からの荷重による作動誤差は小さく、光学性能やメカ機構への与える影響を低減することができる。
【００３１】
このように、光学アクセサリ１００の光学保持手段１は、レンズ鏡筒５の駆動環４の回転に連動して、被駆動手段１ａが駆動環４に形成されたフェイスカム４ａの上を移動することにより、レンズ鏡筒５の進退動作に応じて光軸方向に移動する。特に、本実施例において、光学保持手段１は、駆動環４の回転に連動して被駆動手段１ａと駆動環４に形成されたテーパ形状のフェイスカム４ａとの当接位置が変化する。フェイスカム４ａは、光軸方向において傾斜した構造であるテーパ形状を有するため、光学保持手段１は、レンズ鏡筒５が広角側から望遠側へ移動するにつれて光軸方向に繰り出す。
【００３２】
このような構成により、本実施例によれば、レンズ鏡筒の性能に影響を与えない小型の光学アクセサリ、レンズ鏡筒、および、光学装置を提供することができる。
【００３３】
以上、本発明の好ましい実施形態について説明したが、本発明はこれらの実施形態に限定されず、その要旨の範囲内で種々の変形及び変更が可能である。
【符号の説明】
【００３４】
１    光学保持手段（保持部材）
１ａ  被駆動手段（突起部）
２    移動環保持手段（ベース部材）
４ａ  フェイスカム（カム部）
５    レンズ鏡筒
６    バネ部材（付勢手段）
【図１】
2014048465.tif 000003
【図２ａ】
2014048465.tif 000004
【図２ｂ】
2014048465.tif 000005
【図３ａ】
2014048465.tif 000006
【図３ｂ】
2014048465.tif 000007
【図４】
2014048465.tif 000008